(57)【要約】【課題】通常の機構の加工装置により製造でき、収納した物品がしっかりと保持され、底抜けの恐れもないバスケット型運搬容器を提供する。【解決手段】中央壁１の両側に側壁３及び底壁４を備えた瓶Ｂの収納空間２がそれぞれ形成され、中央壁１の上部に把手部５が設けられたバスケット型運搬容器において、製造に際し、中間構成部２２に両側の側柱構成部２３を折り重ねて接着し、一対の片側構成部２１を折り重ねて中柱部１５同士を互いに接着する。組み立てて使用する際には、側壁３及びその両側の外コーナー部１０を、中央壁１及びその両側の内コーナー部１９から離すだけで、底壁４同士の中折線６を軸とする折り曲げが伸ばされ、底壁４が底折線８を軸に水平方向へ折れ曲がり、瓶Ｂを収納可能な収納空間２が形成されるようにする。【選択図】図１
2019196214.tif 000002
【特許請求の範囲】
【請求項１】
中央壁(1)の両側に側壁(3)及び底壁(4)を備えた収納空間(2)がそれぞれ形成され、前記中央壁(1)の上部に把手部(5)が設けられたバスケット型運搬容器において、
展開されたブランクでは、前記各収納空間(2)に対応する一対の片側構成部(21)が中央部に位置する前記底壁(4)を介して繋がり、その繋部に中折線(6)が刻設され、
前記各片側構成部(21)は、幅方向中間部に位置する中間構成部(22)と、前記中間構成部(22)の両側に側折線(7)を介して連なる各一対の側柱構成部(23)とから成り、
前記中間構成部(22)は、前記底壁(4)及びこれに底折線(8)を介して連なる前記側壁(3)と、前記側壁(3)の両側に連なる外コーナー部(10)と、これらから上下に切り分けられた中重合部(12)及びその両側に連なる内重合コーナー部(13)とを備え、
前記側柱構成部(23)は、前記中間構成部(22)の前記外コーナー部(10)及び前記内重合コーナー部(13)に順次連なる内柱コーナー部(14)及び中柱部(15)を備えており、
製造に際して、前記中間構成部(22)に両側の前記側柱構成部(23)が前記側折線(7)を軸に折り重ねられて、前記内重合コーナー部(13)と前記内柱コーナー部(14)及び前記中重合部(12)と前記中柱部(15)とが少なくともそのいずれかの接着により重合状態で固定され、重なり合った前記内重合コーナー部(13)と前記内柱コーナー部(14)により内コーナー部(19)が形成され、
前記一対の片側構成部(21)が前記中折線(6)を軸に折り重ねられ、前記一対の片側構成部(21)の前記中柱部(15)同士が互いに接着されて、重なり合った前記中重合部(12)及び前記中柱部(15)により前記中央壁(1)が形成され、
組立に際して、前記側壁(3)及びその両側の前記外コーナー部(10)を、前記中央壁(1)及びその両側の前記内コーナー部(19)から離すと、前記底壁(4)同士の前記中折線(6)を軸とする折り曲げが伸ばされ、前記底壁(4)が前記底折線(8)を軸に水平方向へ折れ曲がり、前記一対の側壁(3)の下端間に前記底壁(4)が張設されて、前記収納空間(2)に物品が収納可能となることを特徴とするバスケット型運搬容器。
【請求項２】
請求項１に記載のバスケット型運搬容器において、展開されたブランクでは、前記中柱部(15)から底方向へ折曲線(9a)を介して底延片(17)が延出され、前記底延片(17)の先端に底貼部(18)が設けられており、
製造に際して、前記底延片(17)が前記折曲線(9a)を軸に折り曲げられることなく、前記底貼部(18)が前記底壁(4)に貼り着けられ、
組立に際して、前記収納空間(2)の形成に伴い、前記底延片(17)が前記折曲線(9a)を軸に前記中柱部(15)から折れ曲がって、前記底壁(4)が前記中央壁(1)の下端に接近するように引き上げられることを特徴とするバスケット型運搬容器。
【発明の詳細な説明】
【技術分野】
【０００１】
この発明は、飲料入りの瓶や缶等の物品を収納し、吊り下げて持ち運べるようにした厚紙等のシートから成るバスケット型運搬容器に関するものである。
【背景技術】
【０００２】
この種のバスケット型運搬容器として、本出願人は、図５に示すようなものを提案している（特許文献１参照）。このバスケット型運搬容器は、中央壁５１の両側に飲料入りの瓶Ｂを１本ずつ挿入する収納空間５２が各一対の側壁５３，５４及び底壁５５により形成され、中央壁５１の上部に把手部５６が設けられたものである。
【０００３】
各一対の側壁５３，５４は、一方の側壁５４に連設された重合板５７を隣り合う側壁５３の内面に貼り着けて接合され、対向する側壁５４の上部を切り込んで形成された帯片５８がそれぞれ隣り合う側壁５３の内面に重ねられている。
【０００４】
そして、中央壁５１は、一方の側壁５３及び帯片５８に連なる取手板５１ａと、重合板５７及び他方の帯片５８に連なる取手板５１ａとを貼り合わせて形成されている。
【０００５】
また、各一対の側壁５３，５４の下端には、いわゆるワンタッチ底を形成するように、底板５５ａ，５５ｂがそれぞれ連設され、底板５５ａの対角へ向かう斜折線で区画された三角状部分が隣り合う底板５５ｂに貼り着けられている。
【０００６】
このようなバスケット型運搬容器は、底板５５ａ，５５ｂを内側へ折り込みつつ、各一対の側壁５３，５４を重ね合わせることにより、偏平な折畳状態として保管しておく。そして、２本の飲料入り瓶Ｂを纏めて販売する際には、各一対の側壁５３，５４を角筒状に立体化すると、対向する底板５５ｂ同士が底面の中央部で噛み合い、底板５５ａ，５５ｂにより底壁５５が形成され、収納空間５２に瓶Ｂが収納可能となる。
【先行技術文献】
【特許文献】
【０００７】
【特許文献１】特開２０１６−２２２２８１号公報
【発明の概要】
【発明が解決しようとする課題】
【０００８】
しかしながら、上記のようなバスケット型運搬容器は、製造に際し、複雑な折り曲げや糊貼りを行うことができる加工装置が必要になるという問題がある。
【０００９】
また、多数本の瓶Ｂを中央壁５１に沿って収納空間５２に配列しようとすると、隣り合う瓶Ｂ間に対応して多数の帯片５８が必要となり、加工が複雑化するほか、瓶Ｂの重量により底板５５ｂ同士の噛み合いが外れて、底抜けする恐れもある。
【００１０】
そこで、この発明は、通常の機構の加工装置により製造でき、収納した物品がしっかりと保持され、底抜けの恐れもないバスケット型運搬容器を提供することを課題とする。
【課題を解決するための手段】
【００１１】
上記のような課題を解決するため、この発明は、中央壁の両側に側壁及び底壁を備えた収納空間がそれぞれ形成され、前記中央壁の上部に把手部が設けられたバスケット型運搬容器において、
展開されたブランクでは、前記各収納空間に対応する一対の片側構成部が中央部に位置する前記底壁を介して繋がり、その繋部に中折線が刻設され、
前記各片側構成部は、幅方向中間部に位置する中間構成部と、前記中間構成部の両側に側折線を介して連なる各一対の側柱構成部とから成り、
前記中間構成部は、前記底壁及びこれに底折線を介して連なる前記側壁と、前記側壁の両側に連なる外コーナー部と、これらから上下に切り分けられた中重合部及びその両側に連なる内重合コーナー部とを備え、
前記側柱構成部は、前記中間構成部の前記外コーナー部及び前記内重合コーナー部に順次連なる内柱コーナー部及び中柱部を備えており、
製造に際して、前記中間構成部に両側の前記側柱構成部が前記側折線を軸に折り重ねられて、前記内重合コーナー部と前記内柱コーナー部及び前記中重合部と前記中柱部とが少なくともそのいずれかの接着により重合状態で固定され、重なり合った前記内重合コーナー部と前記内柱コーナー部により内コーナー部が形成され、
前記一対の片側構成部が前記中折線を軸に折り重ねられ、前記一対の片側構成部の前記中柱部同士が互いに接着されて、重なり合った前記中重合部及び前記中柱部により前記中央壁が形成され、
組立に際して、前記側壁及びその両側の前記外コーナー部を、前記中央壁及びその両側の前記内コーナー部から離すと、前記底壁同士の前記中折線を軸とする折り曲げが伸ばされ、前記底壁が前記底折線を軸に水平方向へ折れ曲がり、前記一対の側壁の下端間に前記底壁が張設されて、前記収納空間に物品が収納可能となるものとしたのである。
【００１２】
また、上記構成に加えて、展開されたブランクでは、前記中柱部から底方向へ折曲線を介して底延片が延出され、前記底延片の先端に底貼部が連設されており、
製造に際して、前記底延片が前記折曲線を軸に折り曲げられることなく、前記底貼部が前記底壁に貼り着けられ、
組立に際して、前記収納空間の形成に伴い、前記底延片が前記折曲線を軸に前記中柱部から折れ曲がって、前記底壁が前記中央壁の下端に接近するように引き上げられるものとしたのである。
【発明の効果】
【００１３】
この発明に係るバスケット型運搬容器は、ブランクの中間構成部に両側の側柱構成部を折り重ねて接着し、一対の片側構成部を折り重ねて中柱部同士を互いに接着するだけでよいことから、通常の機構の加工装置により製造できる。このため、製造に要するコストを抑制することができる。
【００１４】
また、組み立てて使用する際には、側壁及びその両側の外コーナー部を、中央壁及びその両側の内コーナー部から離すだけで、底壁同士の中折線を軸とする折り曲げが伸ばされて、物品を収納可能な収納空間が形成されるので、迅速に組み立てることができる。
【００１５】
そして、物品を外コーナー部及び内コーナー部で締め付けられるように収納空間に挿入すると、物品がしっかりと保持され、収納空間の側壁の下端間に底壁が張設されているので、底抜けする恐れもなく、重量のある物品を安定して持ち運ぶことができる。
【図面の簡単な説明】
【００１６】
【図１】この発明の実施形態に係るバスケット型運搬容器の使用状態を示す斜視図
【図２】同上の板紙製ブランクを裏面側から示す図
【図３】同上の中間構成部に両側の側柱構成部を折り重ねた状態を示す図
【図４】同上の一対の片側構成部を折り重ねた折畳状態を示す斜視図
【図５】特許文献１に記載のバスケット型運搬容器の使用状態を示す斜視図
【発明を実施するための形態】
【００１７】
以下、この発明の実施形態を添付図面に基づいて説明する。
【００１８】
図１に示すように、このバスケット型運搬容器は、中央壁１の両側に側壁３及び底壁４を備えて、飲料入りの瓶Ｂを２本ずつ収納する収納空間２が形成され、中央壁１の上部に把手部５が設けられたものであり、板紙製のブランクから組み立てられる。
【００１９】
図２に示すブランクは、それぞれの収納空間２に対応する一対の片側構成部２１が、中央部に位置する底壁４を介して繋がったものとされ、その繋部に中折線６が刻設されている。中折線６は、押罫に切目を入れたリード罫とされている。
【００２０】
片側構成部２１は、底壁４及びこれに連なる側壁３を含む中間構成部２２と、中間構成部２２の両側に側折線７を介して連なる各一対の側柱構成部２３とから成る。側折線７もまた、押罫に切目を入れたリード罫とされている。
【００２１】
中間構成部２２は、底壁４及びこれに底折線８を介して連なる側壁３に加えて、側壁３の両側にそれぞれ連なる外コーナー部１０と、これらから切目線１１を介して上下に切り分けられた中重合部１２及びその両側に連なる内重合コーナー部１３とを備えている。中重合部１２には、把手部５を押込に伴い開口させる把手片５ａが設けられている。
【００２２】
底壁４の両側の端縁は、瓶Ｂの外周に対応して円弧状とされ、側壁３と底壁４の境界の底折線８は、押罫に切目を入れたリード罫とされている。側壁３と外コーナー部１０の境界及び中重合部１２と内重合コーナー部１３の境界もまた、押罫に切目を入れたリード罫とされ、同一線上に位置している。
【００２３】
側柱構成部２３は、中間構成部２２の外コーナー部１０及び内重合コーナー部１３に側折線７を介して順次連なる内柱コーナー部１４及び中柱部１５を備えている。内柱コーナー部１４と中柱部１５の境界には、押罫に切目を入れたリード罫が刻設されている。
【００２４】
中間構成部２２の外コーナー部１０及び内重合コーナー部１３と、側柱構成部２３の内柱コーナー部１４には、湾曲を容易にするため、上下方向に延びる複数本の折目線１６が刻設されている。折目線１６は、押罫に切目を入れたリード罫とされている。
【００２５】
側柱構成部２３の中柱部１５には、他方の片側構成部２１へ向かうように、折曲線９ａを介して底延片１７が連設され、底延片１７の先端側には、折曲線９ｂを介して底貼部１８が設けられているとともに、中重合部１２の把手片５ａに対応する把手片５ａが設けられている。
【００２６】
底延片１７の底壁４に対向する端縁は、底壁４の側端縁と同様に円弧状とされ、折曲線９ａ，９ｂは、両端部のみが押罫で中間部が長い切目とされている。なお、底貼部１８の先端同士は、繋がったものを例示しているが、切り離されていてもよい。
【００２７】
そして、内重合コーナー部１３と内柱コーナー部１４の少なくとも一方には、鎖線で示す接着部３１に接着剤が塗布され、一対の片側構成部２１の中柱部１５には、その少なくとも一方に、鎖線で示す接着部３２に接着剤が塗布される。また、底壁４と底貼部１８の少なくとも一方にも、鎖線で示す接着部３３に接着剤が塗布される。
【００２８】
上記ブランクを使用に備えた折畳状態とするには、図３に示すように、中間構成部２２に両側の側柱構成部２３を、側折線７を軸に折り重ね、内重合コーナー部１３と内柱コーナー部１４とを接着部３１で接着し、底貼部１８を接着部３３で底壁４に接着する。
【００２９】
この加工に伴い、重なり合った内重合コーナー部１３と内柱コーナー部１４により内コーナー部１９が形成される。なお、内重合コーナー部１３と内柱コーナー部１４の接着に加えて、或いはこれに替えて、中重合部１２と中柱部１５とを接着してもよい。
【００３０】
次に、図４に示すように、一対の片側構成部２１を、中折線６を軸に折り重ね、一対の片側構成部２１の中柱部１５同士を接着部３２で互いに接着する。この加工に伴い、重なり合った中重合部１２及び中柱部１５により中央壁１が形成される。
【００３１】
このように、上記バスケット型運搬容器は、ブランクからの折畳・糊貼加工において、中間構成部２２に両側の側柱構成部２３を折り重ねて接着し、一対の片側構成部２１を折り重ねて中柱部１５同士を互いに接着するだけでよく、通常の機構の加工装置により製造することができる。
【００３２】
また、組み立てて使用する際には、図１に示すように、外コーナー部１０と内コーナー部１９を湾曲させて、側壁３及びその両側の外コーナー部１０を、切目線１１を境に中央壁１及びその両側の内コーナー部１９から離すだけでよい。
【００３３】
これに伴い、底壁４同士の中折線６を軸とする折り曲げが伸ばされ、底壁４が底折線８を軸に水平方向へ折れ曲がり、一対の側壁３の下端間に底壁４が張設されて、中央壁１の両側に収納空間２が形成されるので、迅速に組み立てることができる。
【００３４】
このとき、底延片１７が折曲線９ａを軸に中柱部１５から折れ曲がり、底貼部１８が折曲線９ｂを軸に底延片１７から折り返されて、底壁４が中央壁１の下端に接近する方向へ引き上げられるので、底面の中央側における底壁４の垂れ下がりが防止される。
【００３５】
そして、瓶Ｂを外コーナー部１０及び内コーナー部１９で締め付けられるように収納空間２に挿入すると、隣り合う瓶Ｂ間に仕切を設けることなく、瓶Ｂをしっかりと保持することができ、把手片５ａを押し込んで開口した把手部５に手を入れて持ち上げても、収納空間２が底抜けする恐れもなく、重量のある瓶Ｂを安定して持ち運ぶことができる。
【００３６】
なお、上記実施形態では、中央壁１を挟んだ収納空間２に瓶Ｂを２本ずつ収納するものについて例示したが、幅を広く設定し、中央壁１を挟んだ収納空間２にそれぞれ３本以上の瓶Ｂを収納するものとしてもよい。
【００３７】
また、収納空間２にペットボトル等の瓶Ｂを収納する場合について例示したが、収納空間２には、缶を収納することもできる。
【符号の説明】
【００３８】
１  中央壁
２  収納空間
３  側壁
４  底壁
５  把手部
５ａ  把手片
６  中折線
７  側折線
８  底折線
９ａ，９ｂ  折曲線
１０  外コーナー部
１１  切目線
１２  中重合部
１３  内重合コーナー部
１４  内柱コーナー部
１５  中柱部
１６  折目線
１７  底延片
１８  底貼部
１９  内コーナー部
２１  片側構成部
２２  中間構成部
２３  側柱構成部
３１，３２，３３  接着部
Ｂ  瓶
【図１】
2019196214.tif 000003
【図２】
2019196214.tif 000004
【図３】
2019196214.tif 000005
【図４】
2019196214.tif 000006
【図５】
2019196214.tif 000007